(57)【要約】【課題】瓶詰め容器の中に取出し用のスプーンを吊り下げておくことで、内容物を取り出すときの不衛生さを排除する。【解決手段】内容物が詰められた瓶体と、瓶体に蓋をするキャップとからなる瓶詰め容器において、キャップの裏面にスプーンの柄を嵌合式で取り付ける取付構造が施されていることを特徴とする瓶詰め容器の内容物取出し装置。【選択図】　図１
0003098379.tif 000002
【実用新案登録請求の範囲】
【請求項１】
内容物が詰められた瓶体と、瓶体に蓋をするキャップとからなる瓶詰め容器において、キャップの裏面にスプーンの柄を嵌合式で取り付ける取付構造が施されていることを特徴とする瓶詰め容器の内容物取出し装置。
【請求項２】
スプーンが包装紙に包まれて瓶体の側面又はキャップの裏面に付設されている請求項１の瓶詰め容器の内容物取出し装置。
【請求項３】
スプーンの柄が伸縮又は接合可能であり、縮めた状態又は切り離された状態で瓶体の側面又はキャップの裏面に付設されている請求項２の瓶詰め容器の内容物取出し装置。
【考案の詳細な説明】
【０００１】
【考案の属する技術分野】
本考案は、海苔の佃煮や果物のジャムといった瓶詰めにされた食材を瓶体から取り出す内容物取出し装置に関するものである。
【０００２】
【従来の技術】
瓶詰めにされた食品を瓶体から取り出すときには、スプーンや箸を用いるが、新しいものを用意したり、使用後の洗浄が面倒くさいこともあって、ついつい自分の食べ箸を直接内容物に突っ込んで取り出したりすることがある。第三者がそれを見た場合、たとえ家族であっても、汚い、気持ち悪いといった印象を持ち、食べる気がしなくなり、途中で捨てるようなこともある。又、箸に付いている細菌が内容物の中で繁殖し、腐敗を早めることがあるし、更に、内容物を介しての細菌やウイルスの感染といったこともある。
【０００３】
【考案が解決しようとする課題】
これは、ひとえには、通常のスプーンや箸では大きすぎて瓶体の中に入れた状態ではキャップができないからであり、わざわざその置き場に取りに行かなければならないからである。そこで、特開昭５０−１０１１８０号公報には、キャップの裏をスプーンの収納場所としたものが提案されている。これによると、わざわざ取りに行く必要はないものの、使用に際しての取出しと、使用後の収納の手間がかかり、実際問題、非常に面倒で、使用されるどうか疑問である。更に、一番の問題は、収納と取出しの際にスプーンをその都度手で触れて衛生を害すことである。
【０００４】
本考案は、このような課題を解決したものであり、スプーンを内容物の収容には邪魔にならない形態で常時キャップに付けておくことで、食べ箸等による不衛生な取り出しを廃したものである。
【０００５】
【課題を解決するための手段】
以上の課題の下、本考案は、請求項１に記載した、内容物が詰められた瓶体と、瓶体に蓋をするキャップとからなる瓶詰め容器において、キャップの裏面にスプーンの柄を嵌合式で取り付ける取付構造が施されていることを特徴とする瓶詰め容器の内容物取出し装置を提供したものである。
【０００６】
以上によれば、キャップの裏に設けられている取付構造にスプーンの柄を嵌合すれば、キャップにスプーンを下向きで取り付けることができる。従って、キャップを開けて内容物を瓶体から取り出すときには、このスプーンで掬って取り出せばよい。この点で、食べ箸等の使用は避けられ、かつ、一度取り付けると、後は手で触れることもないから、非情に衛生的である。この場合におけるスプーンは、取付構造との関係で専用のものが適し、瓶体等に付設しておくものと、別にするもとが考えられる。
【０００７】
しかし、好ましいのは、請求項２に記載した、スプーンが包装紙に包まれて瓶体の側面又はキャップの裏面に付設されているものであり、これによると、面倒くさくもないし、紛失のおそれもない。又、請求項３に記載した、スプーンの柄が伸縮又は接合可能であり、縮めた状態又は切り離された状態で瓶体の側面又はキャップの裏面に付設されているものにすれば、瓶体内で内容物が少なくなっても、最後まで掬える長いものにできる。
【０００８】
【考案の実施の形態】
以下、本考案の実施の形態を図面を参照して説明する。図１は考案明に係る瓶詰め容器の断面図であるが、瓶詰め容器は、内容物Ａを封入する瓶体１と、瓶体１に蓋をするキャップ２とからなる。瓶体１の形状、大きさには種々のものがあるが、そのいずれであってもよい。図２は他の瓶詰め容器の側面図であるが（本例のものは後記するように柄が二本になっている）、このような形状のものであってもよい。瓶体１の口部の外周にはネジが形成され、これにキャップ２が螺合されて蓋をする。
【０００９】
スプーン３は、先端に掬い部３ａが形成されて柄３ｂがこれに続くものであるが、本例では、これを包装紙４で包装しておき、糊等で瓶体１の側面に貼り付けておくものを示した。そして、必要が生じたときには、包装紙４を剥がして中のスプーン３を取出し、その柄３ｂの端をキャップ２の裏面に形成された取付構造５によって取り付ける。このとき、包装紙４の破り口を柄３ｂの後端に設けておき、ここを破った後は包装紙４を付けたままで柄３ｂを取付け構造５に取り付け、その後、包装紙４を抜き取るようにすれば、取付け時にスプーン３に手が触れず、非常に衛生的である。
【００１０】
この場合の取付構造５には種々のものが考えられるが、もっとも一般的なのは、柄３ｂが挿入できる挿入孔５ａが形成された筒体５ｂからなるものである。この筒体５ｂをキャップ２の裏面に一体成形するか、別体にしたものを接着剤や機械的取付けで取り付けておく。尚、キャップ２の裏面に別のシートパッキン（図示省略）が使用されるものがあるが、この場合は、このシートパッキンに筒体５ｂを一体又は別体で形成することになる。
【００１１】
この嵌合時、柄３ｂが簡単に抜けては具合が悪いので、適当な抜け防止構造６を施しておくのが適する。図３はこの抜け防止構造６の一例を示す要部の断面図であるが、本例の抜け防止構造６は、柄３ｂには周方向に突条６ａを、挿入孔５ａにはこの突条６ａが挿入される溝６ｂを形成しているが、勿論、これに限定されるものではない。
【００１２】
以上のスプーン３はできるだけ長い方が最後まで内容物を取り出せて好ましい。しかし、付設する場合は、瓶体１の丈等によってその長さに制約を受けることがある。図４はスプーン３の他の例を示す平面図であるが、このように柄３ｂを伸縮式にすれば、各々の柄３ｂ１　、３ｂ２　を縮短させた状態で付設できることになり、伸長させて取り付けることで、丈の長いものにできる。図５は別々のものを接合する接合式のものの一部断面側面図であるが、この場合は、それぞれの柄３ｂ１　、３ｂ２　を嵌合して接続する。このときも、嵌合部に上記した突条６ａと溝６ｂとからなる抜け防止構造６を設けておくのが適する。
【００１３】
図６もスプーン３の付設の状態を示す他の例の要部の断面図であるが、本例のものは、キャップ２の裏面にスプーン３を収納したものである。この場合、キャップ２の口径はある程度制限されており、又、嵌着部５等も存在することから、伸縮又は接合が二段式で足らなければ、三段式（３ｂ１　〜３ｂ３　）等にすることも考えられる。勿論、口径が大きいときには、非伸縮式のものによればよい。尚、このとき、内容物Ａがスプーン３に触れてはならないが、通常、キャップ２の裏面と内容物Ａの上面にはこれを収納する位のスペース７は空けてあるから、問題ない。
【００１４】
ところで、以上のスプーンの材質は、樹脂、金属、木材、陶器等、身体に害にならないものであれば何でもよいが、成形やコストを考慮すると、樹脂が適するであろう。又、掬い取る器具はスプーンに限らず、箸、フォーク、へらのようなものであってもよい。この他、以上のスプーンのは、瓶詰めに適用したものであるが、これが缶詰であってもよい。
【００１５】
【考案の効果】
以上、本考案は上記したものであるから、則ち、キャップの裏面にはスプーンのを取り付けることができる取付構造が施されているものであるから、これを利用してスプーンを取り付けておけば、内容物の取出しにはこのスプーンを利用すればよい。従って、食べ箸等の使用は避けられるから、汚い印象を与えず、最後まで食される。又、このスプーンは一度取り付けられると、後は一切手等で触られることがないから、細菌の繁殖による腐敗、病原菌の感染といった問題も生じない。
【図面の簡単な説明】
【図１】本考案の一例を示す瓶詰め容器の断面図である。
【図２】本考案の他の一例を示す瓶詰め容器の側面図である。
【図３】本考案の一例を示す抜け防止構造の要部断面図である。
【図４】本考案の一例を示すスプーンの平面図である。
【図５】本考案の他の一例を示すスプーンの平面図である。
【図６】本考案の他の一例を示す瓶詰め容器の一部断面図である。
【符号の説明】
１　　　瓶体
２　　　キャップ
３　　　スプーン
３ａ　　掬い部
３ｂ　　柄
４　　　包装紙
５　　　取付構造
６　　　抜け防止構造
６ａ　　突条
６ｂ　　溝
７　　　スペース
【図１】
0003098379.tif 000003
【図２】
0003098379.tif 000004
【図３】
0003098379.tif 000005
【図４】
0003098379.tif 000006
【図５】
0003098379.tif 000007
【図６】
0003098379.tif 000008